(57)【要約】      （修正有）【課題】ごみ分別などにおいて、ラベル体を包装体から容易に剥離することができ、しかも容易に剥がれ落ちてしまうことのない粘着ラベルを提供する。【解決手段】表面に商品名や価格、配送先などの品物情報Ｍが表示され、裏面に施された粘着剤層Ｎにより品物の包装袋や配送箱などの包装体に貼付して使用されるラベル体１からなり、ラベル体の裏面に粘着剤層を部分露出可能な粘着度合調節用の所定の大きさの開口部２ａをもつ調節用シート体２が貼付されてなる。【選択図】図１
2008185939.tif 000002
【特許請求の範囲】
【請求項１】
表面に商品名や価格、配送先などの品物情報が表示され、裏面に施された粘着剤層により品物の包装袋や配送箱などの包装体に貼付して使用されるラベル体からなり、上記ラベル体の裏面に上記粘着剤層を部分露出可能な粘着度合調節用の所定の大きさの開口部をもつ調節用シート体が貼付されていることを特徴とするラベル。
【請求項２】
上記開口部は複数個の円形穴からなることを特徴とする請求項１記載の粘着ラベル。
【請求項３】
上記開口部は複数個のスリット穴からなることを特徴とする請求項１記載の粘着ラベル。
【発明の詳細な説明】
【技術分野】
【０００１】
本発明は、例えば商品名や価格、バーコードなどが表示され、裏面に施された粘着剤層により商品の包装袋などの包装体に貼付して使用される商品ラベルや商品名や配送先、配送元などが表示され、裏面に施された粘着剤層により配送物の包装体に貼付して使用される配送宛名ラベルなどの粘着ラベルに関するものである。
【背景技術】
【０００２】
従来、この種の粘着ラベルとして、表面に商品名や価格、配送先などの品物情報が表示され、裏面に施された粘着剤層により品物の包装袋や配送箱などの包装体に貼付して使用される構造のものが知られている。
【特許文献１】特開２００５−１４１０４１号公報
【発明の開示】
【発明が解決しようとする課題】
【０００３】
しかしながらこれら従来構造の場合、例えば、包装体が合成樹脂製、ラベル体が紙製であると、ゴミ分別において、ラベル体を包装体から剥離分別しなければならず、上記ラベル体の裏面に施された粘着剤層の粘着力が強すぎると、ラベル体を包装体から剥がすことが非常に困難となり、又、逆に、上記ラベル体の裏面に施された粘着剤層の粘着力が弱すぎると、ラベル体は包装体から容易に剥がれ落ちてしまい、商品名や価格、配送先などの品物情報を表示するというラベル本来の機能を果たすことができないおそれがあるという不都合を有している。
【課題を解決するための手段】
【０００４】
本発明はこれらの不都合を解決することを目的とするもので、本発明のうちで、請求項１記載の発明は、表面に商品名や価格、配送先などの品物情報が表示され、裏面に施された粘着剤層により品物の包装袋や配送箱などの包装体に貼付して使用されるラベル体からなり、上記ラベル体の裏面に上記粘着剤層を部分露出可能な粘着度合調節用の所定の大きさの開口部をもつ調節用シート体が貼付されていることを特徴とするラベルにある。
【０００５】
又、請求項２記載の発明は、上記開口部は複数個の円形穴からなることを特徴とするものであり、又、請求項３記載の発明は、上記開口部は複数個のスリット穴からなることを特徴とするものである。
【発明の効果】
【０００６】
本発明は上述の如く、請求項１記載の発明にあっては、上記ラベル体の裏面に上記粘着剤層を部分露出可能な粘着度合調節用の所定の大きさの開口部をもつ調節用シート体が貼付されているから、上記ラベル体と包装体との粘着力を適宜の強さに調節することができ、粘着剤の成分や組成による粘着力の強度をそれほど考慮する必要がなくなり、調節用シート体の開口部の大きさにより粘着剤層の部分露出面積を考慮することにより粘着力の調節を行うことができて粘着力の強弱を容易に調節することができ、使用の融通性及び用途の拡大を図ることができ、例えば、ごみ分別において、ラベル体を包装体から容易に剥離することができ、ごみ分別作業を容易に行うことができ、調節用シート体の開口部の大きさにより粘着力の強弱を調節することにより粘着剤層の粘着力が弱すぎ、ラベル体が包装体から容易に剥がれ落ちてしまうことを防ぐことができ、商品名や価格、配送先などの品物情報を表示するというラベル本来の機能を充分に果たすことができ、良好に使用することができる。
【０００７】
又、請求項２記載の発明にあっては、上記開口部は複数個の円形穴により形成されているから、打抜成形等により上記開口部を容易に形成することができ、粘着剤層の部分露出面積を容易に調節設定することができ、又、請求項３記載の発明にあっては、上記開口部は複数個のスリット穴により形成されているから、打抜成形等により上記開口部を容易に形成することができる。
【発明を実施するための最良の形態】
【０００８】
図１乃至図５は本発明の実施の形態例を示し、図１乃至図４は第一形態例、図５は第二形態例である。
【０００９】
図１乃至図４の第一形態例において、１はラベル体であって、表面に商品名や価格、配送先などの品物情報Ｍが印刷により表示され、裏面に粘着剤層Ｎが施されてなり、例えば、燃やすごみ、燃やさないごみ、プラスチックごみ等の分別分類のうち、燃やすごみに属する紙製のものが用いられ、裏面の粘着剤層Ｎにより品物Ｗの包装袋や配送箱などの包装体Ｋに貼付して使用される。
【００１０】
２は調節用シート体であって、上記ラベル体１の裏面に上記粘着剤層Ｎにより貼付され、この調節用シート体２には、上記粘着剤層Ｎを部分露出可能な粘着度合調節用の所定の大きさの開口部２ａが形成され、例えば、上記ラベル体１と同一分別分類である燃やすごみに属する紙製のものが用いられている。
【００１１】
３は台紙体であって、上記ラベル体１は上記開口部２ａから露出している粘着剤層Ｎにより調節用シート体２を介して台紙体３に貼付され、台紙体３からラベル体１を剥離すると、調節用シート体２はラベル体１の裏面に貼付された状態でラベル体１と一緒に剥離されるように構成されている。
【００１２】
この場合、上記開口部２ａは、複数個の円形穴Ｃ・Ｃ・・により形成されている。
【００１３】
この実施の第一形態例は上記構成であるから、上記台紙体３からラベル体１を剥離し、調節用シート体２はラベル体１と一緒に台紙体３から剥離され、このラベル体１を調節用シート体２の開口部から露出している粘着剤層Ｎにより包装体Ｋに貼付して使用することになり、この際、上記ラベル体１の裏面に上記粘着剤層Ｎを部分露出可能な粘着度合調節用の所定の大きさの開口部２ａをもつ調節用シート体２が貼付されているから、上記ラベル体１と包装体Ｋとの粘着力を適宜の強さに調節することができ、粘着剤の成分や組成による粘着力の強度をそれほど考慮する必要がなくなり、調節用シート体２の開口部２ａの大きさにより粘着剤層Ｎの部分露出面積を考慮することにより粘着力の調節を行うことができて粘着力の強弱を容易に調節することができ、使用の融通性及び用途の拡大を図ることができ、例えば、ごみ分別にいて、ラベル体１を包装体Ｋから容易に剥離することができ、ごみ分別作業を容易に行うことができ、また、調節用シート体２の開口部２ａの大きさにより粘着力の強弱を調節することにより粘着剤層の粘着力が弱すぎ、ラベル体１が包装体Ｋから容易に剥がれ落ちてしまうことを防ぐことができ、商品名や価格、配送先などの品物情報Ｍを表示するというラベル本来の機能を充分に果たすことができ、良好に使用することができる。
【００１４】
又、この場合、上記開口部２ａは複数個の円形穴Ｃ・Ｃ・・により形成されているから、打抜成形等により上記開口部２ａを容易に形成することができ、粘着剤層Ｎの部分露出面積を容易に調節設定することができる。
【００１５】
図５は第二形態例は別例構造を示し、この場合、上記開口部２ａは複数個のスリット穴Ｓ・Ｓ・・により形成されている。
【００１６】
この実施の第二形態例にあっても、打抜成形等により上記開口部２ａを容易に形成することができ、粘着剤層Ｎの部分露出面積を容易に調節設定することができ、上記第一形態例と同様な作用効果を奏することができる。
【００１７】
尚、本発明は上記実施の形態例に限られるものではなく、ラベル体１、調節用シート体２の材質や形態、開口部２ａとして切欠溝状などの形態など、開口部２ａの形状や数等は適宜変更して設計されるものである。
【００１８】
以上、所期の目的を充分達成することができる。
【図面の簡単な説明】
【００１９】
【図１】本発明の実施の第一形態例の使用状態の正面図である。
【図２】本発明の実施の第一形態例の分離斜視図である。
【図３】本発明の実施の第一形態例の部分断面図である。
【図４】本発明の実施の第一形態例の部分斜視図である。
【図５】本発明の実施の第二形態例の部分斜視図である。
【符号の説明】
【００２０】
Ｍ    品物情報
Ｎ    粘着剤層
Ｋ    包装体
Ｃ    円形穴
Ｓ    スリット穴
１    ラベル体
２    調整用シート体
２ａ    開口部
【図１】
2008185939.tif 000003
【図２】
2008185939.tif 000004
【図３】
2008185939.tif 000005
【図４】
2008185939.tif 000006
【図５】
2008185939.tif 000007